(57)【特許請求の範囲】
【請求項１】
車両窓開口の窓枠を画成する車体パネルの段部にウインドガラスの下端部を位置決め装置を介して位置決め取り付ける車両用ウインドガラスの取付構造において、上記位置決め装置を、車体パネルの上記段部に装着される受座体と、この受座体に対してスライド自在で、かつ、所望位置でロック可能な保持体と、該保持体に着脱自在に装着され上記ウインドガラスの下端部が仮置きされる操作体と、から構成し、上記保持体には、上記受座体に形成された連続する係止段部と係脱自在な係合部が下面側に形成されていると共に、その上面側には上記操作体が挿脱自在な係合穴が形成されていることを特徴とする車両用ウインドガラスの取付構造。
【請求項２】
前記保持体には、ウインドガラスの下端面に当接可能な支持面を設け、前記操作体には、仮置時のウインドガラスの下端面を支持する支持面を設け、上記操作体を上記保持体に回転支持可能に設けると共に、上記操作体の支持面は、操作体の回転中心と同心状に形成され、かつ、車両の上方側は上記保持体の支持面と略同一高さとなるように構成されていることを特徴とする請求項１に記載の車両用ウインドガラスの取付構造。
【請求項３】
前記保持体の係合穴をダルマ穴とし、前記操作体の下面には、上記ダルマ穴に対応するカギ体が突設されていることを特徴とする請求項１または請求項２のいずれかに記載の車両用ウインドガラスの取付構造。
【請求項４】
前記保持体の係合部を段状に形成すると共に、該段部は、前記保持体の略Ｌ字状に形成された突片の水平面部下面に形成されていることを特徴とする請求項１乃至請求項３のいずれかに記載の突片車両用ウインドガラスの取付構造。
【請求項５】
車両窓開口の窓枠を画成する車体パネルの段部にウインドガラスの下端部を位置決め装置を介して位置決め取り付ける車両用ウインドガラスの取付方法であって、車体パネルの上記段部に位置決め装置の受座体を装着する工程と、上記受座体に対して保持体を上下方向にスライドさせてウインドガラスの位置決め位置に保持体を位置決め保持する工程と、上記保持体上にウインドガラスの仮置き部を有する操作体を取付ける工程と、上記操作体の仮置き部に接着剤が塗布されたウインドガラスを仮置きする工程と、上記保持体上の操作体を移動させてウインドガラスを自重によりスライドさせて保持体上に支持する工程と、上記操作体を保持体から取り外す工程と、を有することを特徴とする車両用ウインドガラスの取付方法。
【発明の詳細な説明】
【０００１】
【発明の属する技術分野】
この発明は、車両のウインドガラスを、位置決め装置を介して、窓枠を画成するパネルの段部に簡単、かつ、確実に位置決めて取り付けることができる車両用ウインドガラスの取付構造及びその取付方法に係り、特に、複数の車種のウインドガラス取付けに部品を共用することができる車両用ウインドガラスの取付構造及びその取付方法に関する。
【０００２】
【従来の技術】
周知のように、車両のウインドガラスを、位置決め装置を介して、窓枠を画成するパネルの段部に位置決めて取り付けることができる従来の技術としては、例えば、実開昭６０−１２１９１６号公報に所載の技術が公知である。
【０００３】
この従来の技術は、車体の窓開口を形成する窓枠のパネル段部の複数箇所に位置決め装置を付設し、該位置決め装置は、上記パネル段部に固定されるベースブロックと、このベースブロックに上記ウインドガラスの板厚直交方向にスライド自在に嵌装され、かつ、上記ベースブロックにラチェット機構でロック可能な可動保持具と、を備え、上記可動保持具でウインドガラスの下端面を受け止めてその板厚直交方向に位置決めるように構成されている。
【０００４】
【発明が解決しようとする課題】
しかしながら、上記従来のウインドガラス位置決め装置にあっては、ベースブロックと可動保持具とをラチェット機構を介してロック可能であるため、ウインドガラスの大きさ等に対応させて保持位置を調整することはできるが、ウインドガラスをより正確に位置決める場合には、完全にウインドガラスをパネル段部に取り付ける前に仮置きして位置調整するのが望ましく、特に、複数の車種のウインドガラスを組み立てラインで組み付ける場合には、ウインドガラスの仮置き調整が重要となるにも拘わらず、上記従来の位置決め装置では、ウインドガラスを仮置き調整することができない、という課題を有していた。
【０００５】
この発明は、かかる現状に鑑み創案されたものであって、その目的とするところは、車両のウインドガラスを、窓枠を画成するパネルの段部に簡単、かつ、確実に位置決めて取り付けることができると共に、複数の車種のウインドガラス取付けに部品を共用することができる車両用ウインドガラスの取付構造及びその取付方法を提供しようとするものである。
【０００６】
【課題を解決するための手段】
上記目的を達成するため、この発明にあっては、車両窓開口の窓枠を画成する車体パネルの段部にウインドガラスの下端部を位置決め装置を介して位置決め取り付ける車両用ウインドガラスの取付構造を技術的前提とし、上記位置決め装置を、車体パネルの上記段部に装着される受座体と、この受座体に対してスライド自在で、かつ、所望位置でロック可能な保持体と、該保持体に着脱自在に装着され上記ウインドガラスの下端部が仮置きされる操作体と、から構成し、上記保持体には、上記受座体に形成された連続する係止段部と係脱自在な係合部を下面側に形成すると共に、その上面側には上記操作体が挿脱自在な係合穴を形成して構成したことを特徴とするものである。
【０００７】
この発明において、上記保持体には、ウインドガラスの下端面に当接可能な支持面が設けられており、また、上記操作体には、仮置時のウインドガラスの下端面を支持する支持面が設けられており、上記操作体を上記保持体に回転支持可能に設けると共に、上記操作体の支持面を、操作体の回転中心と同心状に形成し、かつ、車両の上方側は上記保持体の支持面と略同一高さとなるように構成したことを特徴とするものである。
【０００８】
また、この発明において、上記保持体の係合穴は、具体的には、ダルマ穴で形成されていると共に、上記操作体の下面には、上記ダルマ穴に対応するカギ体を突設して構成するのが望ましい。
【０００９】
さらに、この発明にあっては、保持体と受座体の係合固定強度を向上させるため、上記保持体の係合部を段状に形成すると共に、該段部を、上記保持体の略Ｌ字状に形成された突片の水平面部下面に形成してラチェット機構を構成するのが望ましい。
【００１０】
このように構成された本発明を実施する場合、車両窓開口の窓枠を画成する車体パネルの段部にウインドガラスの下端部を位置決め装置を介して位置決め取り付ける工程としては、車体パネルの上記段部に位置決め装置の受座体を装着する工程と、上記受座体に対して保持体を上下方向にスライドさせてウインドガラスの位置決め位置に保持体を位置決め保持する工程と、上記保持体上にウインドガラスの仮置き部を有する操作体を取付ける工程と、上記操作体の仮置き部に接着剤が塗布されたウインドガラスを仮置きする工程と、上記保持体上の操作体を移動させてウインドガラスを自重によりスライドさせて保持体上に支持する工程と、上記操作体を保持体から取り外す工程と、が少なくとも実施上必要である。
【００１１】
【発明の実施の形態】
以下、添付図面に示す実施の一形態例に基づきこの発明を詳細に説明する。
【００１２】
図１と図２に示すように、この形態例に係る位置決め装置１は、車両窓開口の窓枠２を画成する車体パネルの段部３の複数箇所に配設され、上記ウインドガラスＷを位置決めるために用いられる。
【００１３】
即ち、上記位置決め装置１は、図３に示すように、車体パネルの上記段部３に装着される受座体１０と、この受座体１０に対してスライド自在で、かつ、所望位置でロック可能な保持体２０と、該保持体２０に着脱自在に装着され上記ウインドガラスＷの下端部ＷＬが仮置きされる操作体３０と、から構成されている。
【００１４】
そして、上記受座体１０は、図３及び図１２乃至図１５に示すように、上記段部３に開設された取付孔４に挿通されて係合される脚部１１と、該脚部１１と一体形成される本体１２と、から構成されている。
【００１５】
そして、上記本体１２は、ラチェット歯１３が上面に刻設された平板部１４と、該平板部１４の両側から上方に延設された両側壁部１５，１５と、から構成されており、該両側壁１５，１５の上端部１６，１６は互いに対向する方向に延設されて脱落防止辺として作用するように構成されている。
【００１６】
一方、上記保持体２０は、図３及び図７乃至図１１に示すように、上記操作体３０が挿入係止されるダルマ穴２１が上面に開設された断面略逆凹状の胴部２２と、この胴部２２の上記ダルマ穴２１に開設された空洞部２３と、上記空洞部２３とダルマ穴２１とを画成する中壁部２４から上記空洞部２３を通って胴部２２の外側まで延設されてなる略Ｌ字状の突片部２５と、上記胴部２２の両側壁下端部から水平方向に延設された係合辺部２２ａ，２２ａと、から構成されている。また、上記保持体２０には、ウインドガラスＷの取付時に、その下端が当接して支持する支持面２２ｂが形成されている。
【００１７】
この突片部２５は、図１０と図１１に示すように、上記中壁部２４との連結部を支点として上下方向に撓み自在に構成されており、該突片部２５の水平面部２６の下面には上記受座体１０の本体１２に形成されたラチェット歯１３と噛合自在な係合突起２７が複数段突設されている。
【００１８】
また、上記突片部２５の立上り片部２８には、その胴部側中央部から上下方向に沿ってはリブ２９が膨出形成されている。
【００１９】
尚、上記胴部２２の両側壁下端部から水平方向には係合辺部２２ａ，２２ａが延設されており、該係合辺部２２ａ，２２ａが受座体１０の両側壁１５，１５間に挿脱されるように構成されている。
【００２０】
さらに、上記操作体３０は、平板状に形成された本体３１と、この本体３１の一側部に１段落ちされて形成されたガラス仮置き面部３２と、ウインドガラスＷの取付時にその下端面に当接可能な支持面３１ａと、上記本体３１の段落ちされていない他側部から上方に延設された把持片部３３と、上記本体３１の下面から延設され上記保持体２０のダルマ穴２１に対応させて形成されてなるカギ部３４と、から構成されていると共に、上記本体３１の他側部外周面には、上記保持体２０の突片部２５に形成されたリブ２９と係脱自在な凹部３５が形成されて構成されている。そして、上記支持面３１ａは、カギ部３４の回転中心と同心状に形成され、図５と図６に示すように、車両上方側は保持体２０の支持面２２ｂの延長線上に位置するように構成されている。尚、図中符号３６は、上記把持片部３３に凹設されたガラスバックライン位置決め用の溝である。
【００２１】
次に、以上のように構成されてなる位置決め装置１を用いてウインドガラスＷを位置決めて取り付ける場合について説明すると、先ず、上記受座体１０の脚部１１を上記車体パネルの段部３に開設された取付孔４に挿通させ係止させる。
【００２２】
次に、上記保持体２０を受座体１０の中空部へと挿入し、取り付けるべきウインドガラスＷの位置決め位置で上記ラチェット歯１３と上記係合突起２７とを噛合係止させる。このとき、上記保持体２０の突片部２５の立上り片部２８を図１１矢印ａ方向へ押圧しつつ上記挿入操作を行えば、上記係合突起２７がラチェット歯１３から離間し係合状態を解除する方向へと撓むので、上記保持体２０の受座体１０への挿入操作は勿論、取り付けるウインドガラスＷの種類に対応する調整作業をスムーズに行うことができる。
【００２３】
尚、このように保持体２０を受座体１０に装着したときには、上記突片部２５の立上り片部２８は、ウインドガラスＷの板厚方向と同じ方向に向くようにセットされる。
【００２４】
このようにして上記保持体２０を受座体１０にセットした後、操作体３０のカギ部３４を上記保持体２０のダルマ穴２１に挿入し、把持片部３３を把持して９０度回転させてロックする。このとき、操作体３０に凹設された上記凹部３５が上記保持体２０の突片部２５に形成されたリブ２９と係合するので、操作体３０が正確に保持体２０の所期位置にセットされたことを感得確認することができると共に、操作体３０のガラス仮置き面部３２が上記ウインドガラスＷの板厚方向と直交する方向にセットされる。
【００２５】
このようにして操作体３０が保持体２０にセットされ、受座体１０と保持体２０と操作体３０が一体的に組み立てられた後、ラインアーム（図示せず）がウインドガラスＷを当該取付位置まで搬送し、該ウインドガラスＷの下端後面を、上記仮止めされた操作体３０のガラス仮置き面部３２に仮置きする。また、このとき、ウインドガラスＷの下端部ＷＬは、操作体３０の支持面３１ａに支持される。
【００２６】
そして、上記仮置き状態を作業者が確認して、ウインドガラスＷの位置決めを調整した後、作業者は、上記操作体３０の把持片部３３を把持して前記回転方向とは逆の仮止め解除方向へと操作体３０を回転させると、上記ウインドガラスＷはその自重によりスライド下降し、保持体２０の上記支持面２２ｂ上の所期の位置に位置決められる。
【００２７】
この後、上記ウインドガラスＷは公知の工程で車体に接着固定される。尚、仮止め状態が解除された上記操作体３０は、ウインドガラスＷの位置決め後に保持体２０から取り除かれ、再使用に供される。
【００２８】
【発明の効果】
以上説明したように、請求項１に記載の発明にあっては、車両窓開口の窓枠を画成する車体パネルの段部にウインドガラスの下端部を位置決め装置を介して位置決め取り付ける車両用ウインドガラスの取付構造を技術的前提とし、上記位置決め装置を、車体パネルの上記段部に装着される受座体と、この受座体に対してスライド自在で、かつ、所望位置でロック可能な保持体と、該保持体に着脱自在に装着され上記ウインドガラスの下端部が仮置きされる操作体と、から構成し、上記保持体には、上記受座体に形成された連続する係止段部と係脱自在な係合部を下面側に形成すると共に、その上面側には上記操作体が挿脱自在な係合穴を形成して構成したので、車両のウインドガラスを、窓枠を画成するパネルの段部に簡単、かつ、確実に位置決めて取り付けることができると共に、複数の車種のウインドガラス取付けに部品を共用することができる。
【００２９】
また、請求項２に記載の発明にあっては、前記保持体に、ウインドガラスの下端面に当接可能な支持面が設け、一方、上記操作体には、仮置時のウインドガラスの下端面を支持する支持面が設けられており、上記操作体を上記保持体に回転支持可能に設けると共に、上記操作体の支持面を、操作体の回転中心と同心状に形成し、かつ、車両の上方側は上記保持体の支持面と略同一高さとなるように構成したので、ウインドガラスの仮置き調整を簡単に行うことができ、また、ウインドガラスの位置決め取付作業を円滑に行うことができる。
【００３０】
さらに、請求項３に記載の発明にあっては、前記保持体の係合穴をダルマ穴とし、前記操作体の下面には、上記ダルマ穴に対応するカギ体が突設して構成したので、操作体の保持体への係脱操作を容易に行うことができると共に、構造が簡単なので、製造コストを低減することができ、また、繰り返し使用に対する耐久性も向上させることができる。
【００３１】
また、請求項４に記載の発明にあっては、前記保持体の係合部を段状に形成し、該段部を、前記保持体の略Ｌ字状に形成された突片部の水平面部下面に形成したので、該突片部の押圧操作により保持体を受座体に容易にセットすることができると共に、ウインドガラスの自重作用により上記突片部が押圧されて上記保持体と受座体との係合状態をより強固にすることができる。
【００３２】
さらに、請求項５に記載の方法の発明にあっては、車両窓開口の窓枠を画成する車体パネルの段部にウインドガラスの下端部を位置決め装置を介して位置決め取り付ける工程としては、車体パネルの上記段部に位置決め装置の受座体を装着する工程と、上記受座体に対して保持体を上下方向にスライドさせてウインドガラスの位置決め位置に保持体を位置決め保持する工程と、上記保持体上にウインドガラスの仮置き部を有する操作体を取付ける工程と、上記操作体の仮置き部に接着剤が塗布されたウインドガラスを仮置きする工程と、上記保持体上の操作体を移動させてウインドガラスを自重によりスライドさせて保持体上に支持する工程と、上記操作体を保持体から取り外す工程と、いった工程を実施することで、車両のウインドガラスを、窓枠を画成するパネルの段部に簡単に仮置き調整して位置決めて取り付けることができるため、この種の作業が大幅に簡易化され、しかも、操作体は繰り返し使用することができるので、部品コストを削減することもできる、という優れた効果が得られる。
【図面の簡単な説明】
【図１】この発明の実施の一形態例に係る車両用ウインドガラスの取り付けに用いられる位置決め装置の装着場所を示す説明図である。
【図２】同位置決め装置とウインドガラスとの関係を示す断面図である。
【図３】同位置決め装置を構成する受座体と保持体と操作体の各構成を示す分解斜視図である。
【図４】同操作体の反転斜視図である。
【図５】同位置決め装置の保持体と操作体との装着状態を示す平面図である。
【図６】同位置決め装置の保持体と操作体との装着状態を示す断面図である。
【図７】同保持体の平面図である。
【図８】同保持体の左側面図である。
【図９】同保持体の右側面図である。
【図１０】同保持体の縦断面図である。
【図１１】同保持体の突片部の構成を拡大して示す断面図である。
【図１２】同受座体の斜視図である。
【図１３】同受座体の平面図である。
【図１４】同受座体の側面図である。
【図１５】同受座体の正面図である。
【符号の説明】
Ｗ  ウインドガラス
ＷＬ  ウインドガラス下端部
１  位置決め装置
２  窓枠
３  車体パネルの段部
４  取付孔
１０  受座体
１１  脚部
１３  ラチェット歯
２０  保持体
２１  ダルマ穴
２２  胴部
２３  空洞部
２４  中壁部
２５  突片部
２６  水平面部
２７  係合突起
２８  立上り片部
３０  操作体
３１  本体
３２  ガラス仮置き面部
３３  把持片部
３４  カギ部
【図１】
0004025948.tif 000002
【図２】
0004025948.tif 000003
【図３】
0004025948.tif 000004
【図４】
0004025948.tif 000005
【図５】
0004025948.tif 000006
【図６】
0004025948.tif 000007
【図７】
0004025948.tif 000008
【図８】
0004025948.tif 000009
【図９】
0004025948.tif 000010
【図１０】
0004025948.tif 000011
【図１１】
0004025948.tif 000012
【図１２】
0004025948.tif 000013
【図１３】
0004025948.tif 000014
【図１４】
0004025948.tif 000015
【図１５】
0004025948.tif 000016